(57)【要約】【解決すべき課題】急峻な減衰特性を持ち、かつ構成が簡単でコストがかからない帯域阻止フィルタを提供すること。【課題を解決するための手段】帯域阻止フィルタは、入力端子１と出力端子２とを有し、入力端子１と出力端子２との間に三つのノッチフィルタＦ１、ノッチフィルタＦ２及びノッチフィルタＦ３を有している。各ノッチフィルタＦ１〜ノッチフィルタＦ３は、金属板でシールドされたキャビンで構成され、その内部には、線路より導出されたアンテナ３と、一端が金属板に接地されたコイル４とが設けられており、アンテナ３とコイル４とが空間結合され、共振回路を構成している。【選択図】  図１
2004266624.tif 000002
【特許請求の範囲】
【請求項１】
帯域阻止フィルタであって、
金属で構成されたキャビンと、高周波信号の入出力線路と、一端が前記入出力線路と接続され、他端が前記キャビンの内部に貫通した金属針と、前記キャビン内に設けられ、一端が前記キャビンに接地されたコイルとを有するノッチフィルタが複数個直列に接続されてなることを特徴とする帯域阻止フィルタ。
【請求項２】
各ノッチフィルタは、カップリングの為のコンデンサが前記入出力線路に設けられていることを特徴とする請求項１に記載の帯域阻止フィルタ。
【発明の詳細な説明】
【０００１】
【発明が属する技術分野】
本発明は、高周波の帯域阻止フィルタに関し、特に特定周波数の信号を大きく減衰させる帯域阻止フィルタに関する。
【０００２】
【従来の技術】
従来、特定周波数を大きく減衰させるトラップを期待するために、ハイパスフィルタやローパスフィルタに減衰極を設けたものがある。
【０００３】
図５は、このようなフィルタの一例を示したものであり、ハイパスフィルタに減衰極を設けたものである。図５中、１００は入力端子、１０１は出力端子で、これらの間に直列に４つのコンデンサ１０２が設けられ、これらコンデンサ１０２同士の接続点と基準電位点との間にコンデンサ１０３とコイル１０４との直列回路がそれぞれ接続されている。
【０００４】
このフィルタは、コンデンサ１０２とコイル１０４とでハイパスフィルタが構成され、かつ、コイル１０４とコンデンサ１０３とがトラップを構成し、その共振周波数の信号を減衰させている。
【０００５】
一方、従来、地上テレビ放送のチャンネルは隣接波の混信がないように使用されていたが、地上デジタル放送が開始されることにより、アナログ波停止まではデジタル波と同時送信されるため、チャンネルの混雑度は２倍となる。したがって、隣接チャンネルによる混信が発生する可能性があり、その排除のために急峻な阻止特性を持つ隣接阻止フィルタが必要となった。
【０００６】
【発明が解決しようとする課題】
しかしながら、上述した従来のフィルタでは、共振回路のＱが低く、隣接チャンネルを安定に阻止するための急峻な帯域阻止フィルタは困難であった。
【０００７】
また、用いるコンデンサや、コイルの数も多く製造面で面倒になる上に、コストが高くなるという問題点があった。
【０００８】
そこで、本発明は上記問題点に鑑みて発明されたものであって、その目的は、急峻な減衰特性を持ち、かつ構成が簡単でコストがかからない帯域阻止フィルタを提供することにある。
【０００９】
【課題を解決するための手段】
上記本発明の目的を達成する第１の発明は、帯域阻止フィルタであって、
金属で構成されたキャビンと、高周波信号の入出力線路と、一端が前記入出力線路と接続され、他端が前記キャビンの内部に貫通した金属針と、前記キャビン内に設けられ、一端が前記キャビンに接地されたコイルとを有するノッチフィルタが複数個直列に接続されてなることを特徴とする。
【００１０】
上記本発明の目的を達成する第２の発明は、上記第１の発明において、各ノッチフィルタは、カップリングの為のコンデンサが前記入出力線路に設けられていることを特徴とする。
【００１１】
【発明の実施の形態】
本発明の実施の形態を説明する。
【００１２】
図１は本実施の形態における帯域阻止フィルタの一例を示した回路図である。
【００１３】
この帯域阻止フィルタは、高周波信号が入力される入力端子１と、高周波信号が出力される出力端子２とを有し、入力端子１と出力端子２との間に三つのノッチフィルタＦ１、ノッチフィルタＦ２及びノッチフィルタＦ３を有している。
【００１４】
各ノッチフィルタＦ１〜ノッチフィルタＦ３は、金属板でシールドされたキャビンで構成され、その内部には、線路より導出されたアンテナ３（金属針）と、一端が金属板に接地されたコイル４とが設けられており、アンテナ３とコイル４とで共振回路を構成している。すなわち、アンテナ３とコイル４とが空間結合されており、コンデンサの役割を行っているのである。そして、アンテナ３とコイル４との間隔をアンテナ３で調整し、共振回路のＱを調整する。
【００１５】
また、コイル４の上部には、キャビンを貫通して設けられた同調ネジ５が設けられ、このネジ５のキャビン内の長さを調整することにより、阻止する帯域の中心周波数をチューニングする。
【００１６】
更に、カップリングの為にセラミックコンデンサ６が接続されている。
【００１７】
ここで、図２に、上述した図１の回路図の具体的な構成図を示す。
【００１８】
図２に示される如く、各ノッチフィルタＦ１〜ノッチフィルタＦ３は、金属版で囲まれたキャビンの一部に高周波信号の入出力線路がセラミックコンデンサ６を介して設けられ、同調ネジ５が金属板を貫通するように設けられている。また、高周波信号の出力側の線路から金属板を貫通するようにアンテナ３が設けられている。また、キャビンの内部には、一端が金属板に接地されたコイル４が設けられている。
【００１９】
次に、上述の実施の形態における帯域阻止フィルタの減衰特性を、図３、図４の減衰特性図を用いて説明する。
【００２０】
各ノッチフィルタＦ１〜ノッチフィルタＦ３の減衰特性は、図３に示される如く、トラップ周波数において、約７ｄＢの減衰特性を示している。
【００２１】
更に、本実施の形態における帯域阻止フィルタの減衰特性は、各ノッチフィルタＦ１〜ノッチフィルタＦ３を合成したものとなり、図４に示される如く、トラップ周波数に５６９ＭＨｚおいて、約２０ｄＢの減衰特性を示している。
【００２２】
このような特性を持つフィルタは、上述したアナログ放送からデジタル放送の移行にともなう隣接チャンネルによる混信防ぐのに必要な、８００ＭＨｚ周波数帯において、１．５ＭＨｚ帯域幅で減衰が１０ｄＢ以上という条件を、十分満足するものである。
【００２３】
尚、本実施の形態では、より急峻な減衰特性を得る為に、セラミックコンデンサ６を設けたが、使用する状況によってはかならずしも用いる必要がない。
【００２４】
また、本実施の形態では、ノッチフィルタの数を３個としたが、これに限るものでなく、適時、ノッチフィルタの数を増減させても良い。
【００２５】
【発明の効果】
本発明の帯域阻止フィルタは、急峻な減衰特性を持ち、かつ構成が簡単でコストがかからないという優れた効果を奏する。
【図面の簡単な説明】
【図１】図１は本実施の形態における帯域阻止フィルタの一例を示した回路図である。
【図２】図２は本実施の形態における帯域阻止フィルタの具体的な構成図である。
【図３】図３はノッチフィルタＦ１〜ノッチフィルタＦ３の減衰特性図である。
【図４】図４は本実施の形態における帯域阻止フィルタの減衰特性図である。
【図５】図５は従来技術を説明する為の図である。
【符号の説明】
１                  入力端子
２                  出力端子
３                  アンテナ
４                  コイル
５                  同調ネジ
６                  セラミックコンデンサ
Ｆ１，Ｆ２，Ｆ３    ノッチフィルタ
【図１】
2004266624.tif 000003
【図２】
2004266624.tif 000004
【図３】
2004266624.tif 000005
【図４】
2004266624.tif 000006
【図５】
2004266624.tif 000007